(57)【要約】【課題】燃料電池の生成熱も考慮に入れて複数の燃料電池を効率的に制御する統合制御方法を提供する。【解決手段】  需要家群の元に設置される複数の燃料電池システムから電力需要量及び熱需要量を受信する。その後、第１の需要家の元に設置される第１の燃料電池システムを、第１の需要家の電力需要量よりも大きい電力出力で稼働させる。また、熱需要量が第１の需要家の熱需要量よりも小さい第２の需要家の元に設置される第２の燃料電池システムを、第２の需要家の電力需要量よりも小さい電力出力で稼働させ、または、停止させる。そして、第１の燃料電池システムに対し、電力出力の一部を第２の需要家の元に設置される電力負荷に電力輸送手段を介して供給させ、生成熱の一部を第２の需要家の元に設置される熱負荷に熱輸送手段を介して供給させる。【選択図】図１
2017127086.tif 000002
【特許請求の範囲】
【請求項１】
需要家群の元に設置される複数の燃料電池システムを制御する統合制御装置が実行する統合制御方法であって、
前記複数の燃料電池システムから前記需要家群の電力需要量及び熱需要量を受信し、
前記需要家群のうちの第１の需要家の元に設置される第１の燃料電池システムを、前記第１の需要家の電力需要量よりも大きい電力出力で稼働させ、
前記需要家群のうちの、所定期間の熱需要量が前記第１の需要家の熱需要量よりも小さい第２の需要家の元に設置される第２の燃料電池システムを、前記第２の需要家の電力需要量よりも小さい電力出力で稼働させ、または、停止させ、
前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させる
統合制御方法。
【請求項２】
前記第１の燃料電池システムを前記第１の需要家の電力需要量よりも大きい電力出力で稼働させる第１の信号を生成し、
前記第２の燃料電池システムを、前記第２の需要家の電力需要量よりも小さい電力出力で稼働させる、または、停止させる第２の信号を生成し、
前記第１の燃料電池システムに対し、電力出力の一部を前記第２の需要家の元に設置される電力負荷に供給させ、生成熱の一部を前記第２の需要家の元に設置される熱負荷に供給させる第３の信号を生成し、
前記第１の燃料電池システムを制御するコントローラに対し、前記第１の信号及び前記第３の信号を送信し、
前記第２の燃料電池システムを制御するコントローラに対し、前記第２の信号を送信する
請求項１に記載の統合制御方法。
【請求項３】
前記第１の需要家の前記所定期間の電力需要量は前記第２の需要家よりも大きく、かつ、前記第１の需要家の前記所定期間の熱需要量は前記第２の需要家よりも大きい
請求項１に記載の統合制御方法。
【請求項４】
前記第１の需要家の前記所定期間の電力需要量は前記第２の需要家よりも小さく、かつ、前記第１の需要家の前記所定期間の熱需要量は前記第２の需要家よりも大きい
請求項１に記載の統合制御方法。
【請求項５】
需要家群の元に設置される複数の燃料電池システムを制御する統合制御装置が実行する統合制御方法であって、
前記複数の燃料電池システムから前記需要家群の電力需要量及び熱需要量を受信し、
受信した前記電力需要量から、前記需要家群の所定期間における総電力需要量を算出し、
受信した前記熱需要量から、前記需要家群の前記所定期間における総熱需要量を算出し、
前記需要家群のうちの第１の需要家の前記所定期間の電力需要量が前記総電力需要量に占める第１の割合を算出し、
前記需要家群のうちの、所定期間の電力需要量が前記第１の需要家よりも大きく、前記所定期間の熱需要量が前記第１の需要家よりも小さい第２の需要家の前記所定期間の熱需要量が前記総熱需要量に占める第２の割合を算出し、
前記第１の割合が前記第２の割合よりも小さい場合、
前記第１の需要家の元に設置される第１の燃料電池システムを、前記第１の需要家の電力需要量よりも大きい電力出力で稼働させ、
前記第２の需要家の元に設置される第２の燃料電池システムを、前記第２の需要家の電力需要量よりも小さい電力出力で稼働させ、または、停止させ、
前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させる
統合制御方法。
【請求項６】
需要家群の元に設置される複数の燃料電池システムを制御する統合制御装置が実行する統合制御方法であって、
前記複数の燃料電池システムから前記需要家群の電力需要量及び熱需要量を受信し、
受信した前記電力需要量から、前記需要家群の所定期間における総電力需要量を算出し、
受信した前記熱需要量から、前記需要家群の前記所定期間における総熱需要量を算出し、
前記需要家群のうちの第１の需要家の前記所定期間の電力需要量が前記総電力需要量に占める第１の割合を算出し、
前記需要家群のうちの、所定期間の電力需要量が前記第１の需要家よりも小さく、前記所定期間の熱需要量が前記第１の需要家よりも大きい第２の需要家の前記所定期間の熱需要量が前記総熱需要量に占める第２の割合を算出し、
前記第１の割合が前記第２の割合よりも大きい場合、
前記第１の需要家の元に設置される第１の燃料電池システムを、前記第１の需要家の電力需要量よりも大きい電力出力で稼働させ、
前記第２の需要家の元に設置される第２の燃料電池システムを、前記第２の需要家の電力需要量よりも小さい電力出力で稼働させ、または、停止させ、
前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させる
統合制御方法。
【請求項７】
前記所定期間は過去の期間であり、
一の需要家の前記所定期間の電力需要量は、取得した当該需要家の電力需要量を累積して算出し、
一の需要家の前記所定期間の熱需要量は、取得した当該需要家の熱需要量を累積して算出する
請求項１乃至６のいずれか１項に記載の統合制御方法。
【請求項８】
前記所定期間は未来の期間であり、
一の需要家の前記所定期間の電力需要量は、取得した当該需要家の電力需要量に応じて算出し、
一の需要家の前記所定期間の熱需要量は、取得した当該需要家の熱需要量に応じて算出する
請求項１乃至６のいずれか１項に記載の統合制御方法。
【請求項９】
前記電力出力の一部は、前記第１の燃料電池システムの電力出力から前記第１の需要家の電力需要量を引いた余剰電力であり、
前記生成熱の一部は、前記第１の燃料電池システムの生成熱から前記第１の需要家の熱需要量を引いた余剰熱である
請求項１乃至６のいずれか１項に記載の統合制御方法。
【請求項１０】
前記第２の需要家から前記第１の需要家に対してインセンティブを付与させる
請求項１乃至６のいずれか１項に記載の統合制御方法。
【請求項１１】
前記需要家群の電力需要量の合計が前記第１の燃料電池システムの定格出力を超える前に、前記第１の燃料電池システム以外の燃料電池システムを稼働させる
請求項１乃至６のいずれか１項に記載の統合制御方法。
【請求項１２】
前記第１の燃料電池システムの電力出力により熱を生成させる
請求項１乃至６のいずれか１項に記載の統合制御方法。
【請求項１３】
需要家群の元に設置される複数の燃料電池システムを制御する統合制御装置であって、
前記複数の燃料電池システムから前記需要家群の電力需要量及び熱需要量を受信するインターフェースと、
前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させるコントローラと、を備える
統合制御装置。
【請求項１４】
需要家群の元に設置される複数の燃料電池システムを制御する統合制御装置が実行するコンピュータプログラムであって、
前記統合制御装置に、
前記複数の燃料電池システムから前記需要家群の電力需要量及び熱需要量を受信させ、
前記需要家群のうちの第１の需要家の元に設置される第１の燃料電池システムを、前記第１の需要家の電力需要量よりも大きい電力出力で稼働させ、
前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、
前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させる
命令を含む
コンピュータプログラム。
【請求項１５】
需要家群の元に設置される複数の燃料電池システムと、前記複数の燃料電池システムを制御する統合制御装置とから構成されるエネルギー供給システムであって、
前記複数の燃料電池システムのそれぞれは、前記需要家群の元に設置される電力負荷と電力輸送手段を介して接続され、前記需要家群の元に設置される熱負荷と熱輸送手段を介して接続され、
前記統合制御装置は、
前記複数の燃料電池システムから前記需要家群の電力需要量及び熱需要量を受信するインターフェースと、
前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に前記電力輸送手段を介して供給させ、生成熱の一部を前記第２の需要家の元に設置される熱負荷に前記熱輸送手段を介して供給させるコントローラと、
を備える
エネルギー供給システム。
【発明の詳細な説明】
【技術分野】
【０００１】
本開示は、複数の燃料電池を組み合わせて需要家間で電力を相互に融通する場合に好適な統合制御方法に関する。
【背景技術】
【０００２】
水素と酸素との反応により発電を行う燃料電池を用いて需要家に電力を供給する燃料電池システムが検討されている。燃料電池の電力出力と発電効率には、電力出力が小さくなるほど発電効率が低くなるという関係がある。そこで、複数の燃料電池を用いて需要家に電力を供給する場合に、すべての燃料電池を発電効率の低い低出力で稼働させるのではなく、少数の燃料電池を発電効率の高い高出力で稼働させることにより、経済メリットや省エネメリットを向上させる電力融通システムが提案されている（例えば、特許文献１参照）。
【先行技術文献】
【特許文献】
【０００３】
【特許文献１】特開２０１５−１２６５６４号公報
【発明の概要】
【発明が解決しようとする課題】
【０００４】
ところで、燃料電池では発電時に副次的に熱が生成され、その熱を暖冷房や給湯などに利用する仕組みも用意されているが、特許文献１の電力融通システムでは燃料電池で生成される熱については考慮されていない。
本開示は、燃料電池の生成熱も考慮に入れて複数の燃料電池を効率的に制御する統合制御方法を提供することを目的とする。
【課題を解決するための手段】
【０００５】
本開示の一態様の統合制御方法は、需要家群の元に設置される複数の燃料電池システムを制御する統合制御装置が実行する統合制御方法であって、前記複数の燃料電池システムから前記需要家群の電力需要量及び熱需要量を受信し、前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家の熱需要量よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させることを特徴とする。
【発明の効果】
【０００６】
本開示によれば、熱需要量が大きい需要家の燃料電池システムを優先稼働させるため、すべての燃料電池システムを低出力で稼働させるのではなく、少数の燃料電池システムを高出力で稼働させる。その結果、熱需要量の大きい燃料電池システムの発電効率が向上する。また、熱需要量が小さい需要家の燃料電池システムの起動・停止を抑制することができ、熱需要量が小さい需要家の燃料電池システムの寿命向上に寄与する。さらに、熱需要量が大きい需要家の燃料電池システムを優先して稼働させるため、熱輸送手段を介して他の需要家に輸送される熱（温水）の量を低減でき、その結果、熱を融通する場合に熱輸送による損失を低減できる。
【図面の簡単な説明】
【０００７】
【図１】図１はエネルギー供給システムの構成の一例を示す図である。
【図２】図２は優先稼働させる燃料電池システムの決定方法の一例を示す図である。
【図３】図３はエネルギー供給システムの動作の一例を示す図である。
【図４】図４はエネルギー供給システムの動作の一例を示すシーケンス図である。
【図５】図５はエネルギー供給システムの動作の一例を示す図である。
【図６】図６はエネルギー供給システムの動作の一例を示すシーケンス図である。
【図７】図７は優先稼働させる燃料電池システムの決定方法の一例を示す図である。
【図８】図８はエネルギー供給システムの動作の一例を示す図である。
【図９】図９はエネルギー供給システムの動作の一例を示すシーケンス図である。
【図１０】図１０は優先稼働させる燃料電池システムの決定方法の一例を示す図である。
【図１１】図１１はエネルギー供給システムの動作の一例を示す図である。
【図１２】図１２はエネルギー供給システムの動作の一例を示すシーケンス図である。
【発明を実施するための形態】
【０００８】
以下、図面を参照しながら本開示に係る燃料電池のエネルギー供給システムについて説明する。なお、以下の実施の形態で示される数値、形状、材料、構成要素、構成要素の配置及び接続形態、ステップ、ステップの順序などは一例であり、本開示を限定する趣旨ではない。
（実施の形態１）
＜構成＞
まず、実施の形態１に係る燃料電池のエネルギー供給システム１００の構成を説明する。図１は、エネルギー供給システム１００の構成を示す図である。図１に示すように、エネルギー供給システム１００は、各需要家１２０（Ａ，Ｂ，……）の元に設置された燃料電池システム１２１、及び、それらを制御するための統合制御装置１１０から構成される。統合制御装置１１０と燃料電池システム１２１は、有線又は無線のネットワーク１３０を介して接続されている。
【０００９】
統合制御装置１１０は、コントローラ１１１とインターフェース１１２を含んで構成される。コントローラ１１１は、燃料電池システム１２１から電力需要量や熱需要量などの情報を取得し、取得した情報に基づいて燃料電池システム１２１を制御するための制御信号を生成し、生成した制御信号を燃料電池システム１２１に送信する。コントローラ１１１は、プロセッサ及び制御用のコンピュータプログラムを記憶した半導体メモリを備え、プロセッサが半導体メモリに記憶されたコンピュータプログラムを実行することにより動作する。インターフェース１１２は、ネットワーク１３０を介して、コントローラ１１１と燃料電池システム１２１との間のデータの送受信を仲介する。
【００１０】
需要家１２０の元には、燃料電池システム１２１、第１のセンサ１２５、第２のセンサ１２６、電力負荷１２７、熱負荷１２８が設置される。燃料電池システム１２１は、燃料電池１２２、コントローラ１２３、インターフェース１２４を含んで構成される。
燃料電池１２２は、水素と酸素との化学反応により電力と熱を生成する。電力は、例えば、図示していないインバータを介して直流から交流に変換されて出力される。熱は、例えば、図示していない貯湯タンクに温水の形で蓄えられ、必要な時に必要な量が出力される。
【００１１】
燃料電池システム１２１は、需要家１２０内において、電力輸送手段１４０を介して電力負荷１２７と接続され、発電した電力を電力負荷１２７に供給する。また、燃料電池システム１２１は、電力輸送手段１４０を介して他の需要家１２０内の電力負荷１２７と接続されており、発電した電力を他の需要家１２０に供給することが可能である。
同様に、燃料電池システム１２１は、需要家１２０内において、熱輸送手段１５０を介して熱負荷１２８と接続され、蓄えられた温水を熱負荷１２８に供給する。燃料電池システム１２１は、熱輸送手段１５０を介して他の需要家１２０内の熱負荷１２８と接続されており、蓄えられた温水を他の需要家１２０に供給することが可能である。
【００１２】
コントローラ１２３は、統合制御装置１１０から取得した制御信号に従って、燃料電池１２２の運転開始、運転停止、電力出力、熱出力などの制御を行う。また、コントローラ１２３は、第１のセンサ１２５から取得した電力需要量、第２のセンサ１２６から取得した熱需要量を統合制御装置１１０に送信する。コントローラ１２３は、プロセッサ及び制御用のコンピュータプログラムを記憶した半導体メモリを備え、プロセッサが半導体メモリに記憶されたコンピュータプログラムを実行することにより動作する。
【００１３】
インターフェース１２４は、ネットワーク１３０を介して、コントローラ１２３と統合制御装置１１０との間のデータの送受信を仲介する。また、インターフェース１２４は、第１のセンサ１２５から入力される電力需要量、第２のセンサから入力される熱需要量をコントローラ１２３に伝達する。
第１のセンサ１２５は、電力負荷１２７の電力需要量を取得する装置である。第１のセンサは、電力輸送手段１４０から電力負荷１２７に供給される電流を測定して電力需要量を取得してもよく、電力負荷１２７のコントローラと情報通信を行って電力需要量を取得してもよい。
【００１４】
第２のセンサ１２６は、熱負荷１２８の熱需要量を計測する装置である。第２のセンサは、熱輸送手段１５０から熱負荷１２８に供給される熱（温水）の量を測定して熱需要量を取得してもよく、熱負荷１２８のコントローラと情報通信を行って熱需要量を取得してもよい。
電力負荷１２７は、例えば、照明機器、空調機器、情報通信機器などの電力を消費して動作する様々な機器である。熱負荷１２８は、例えば、浴槽の湯はりを行う湯はり装置、温水を用いて食器を洗浄する食器洗い器、床下の敷設された温水パイプに温水を循環させる温水床暖房などの熱を消費する機器である。
【００１５】
電力輸送手段１４０は、例えば電線路（送電線・配電線）などの電力を輸送する手段である。熱輸送手段１５０は、例えばパイプライン（温水パイプ・蒸気パイプ）などの熱を輸送する手段である。
本実施の形態では、需要家それぞれが１台ずつ燃料電池システムを設けるとして説明するが、この例に限られない。即ち、複数の需要家が１台の燃料電池システムを共有し、当該燃料電池システムから、各需要家の電力負荷に電力を供給するとしてもよく、また、各需要家の熱消費設備に湯水を供給するとしてもよい。その場合、１台の燃料電池システムが受信する電力需要量や熱需要量は、共有して当該燃料電池システムを設ける複数の需要家の合計値となる。
＜動作＞
統合制御装置１１０は、需要家１２０それぞれの燃料電池システム１２１から需要家１２０それぞれの電力需要量および熱需要量を取得し、取得した情報に基づいて優先稼働させる燃料電池システム１２１を決定する。
【００１６】
図２は、優先稼働させる燃料電池システム１２１の決定方法を説明するためのフローチャートである。
需要家Ａの電力需要量が需要家Ｂの電力需要量よりも大きく（ステップＳ２０１：Ｙｅｓ）、かつ、需要家Ａの熱需要量が需要家Ｂの熱需要量よりも大きい（ステップＳ２０２：Ｙｅｓ）場合、需要家Ａの燃料電池システム１２１を優先稼働させる（ステップＳ２０４）。
【００１７】
需要家Ａの電力需要量が需要家Ｂの電力需要量よりも大きく（ステップＳ２０１：Ｙｅｓ）、かつ、需要家Ａの熱需要量が需要家Ｂの熱需要量よりも小さい（ステップＳ２０２：Ｎｏ）場合、需要家Ｂの燃料電池システム１２１を優先稼働させる（ステップＳ２０５）。
需要家Ａの電力需要量が需要家Ｂの電力需要量よりも小さく（ステップＳ２０１：Ｎｏ）、かつ、需要家Ａの熱需要量が需要家Ｂの熱需要量よりも大きい（ステップＳ２０３：Ｙｅｓ）場合、需要家Ａの燃料電池システム１２１を優先稼働させる（ステップＳ２０６）。
【００１８】
需要家Ａの電力需要量が需要家Ｂの電力需要量よりも小さく（ステップＳ２０１：Ｎｏ）、かつ、需要家Ａの熱需要量が需要家Ｂの熱需要量よりも小さい（ステップＳ２０３：Ｎｏ）場合、需要家Ｂの燃料電池システム１２１を優先稼働させる（ステップＳ２０７）。
このようにして、統合制御装置１１０は、優先稼働させる燃料電池システム１２１を決定する。
【００１９】
優先稼働させる燃料電池システム１２１を決定すると、統合制御装置１１０は、優先稼働させる燃料電池システム１２１に対して、当該燃料電池システム１２１を設置している需要家１２０の電力需要量よりも大きい電力出力で稼働させる。具体的には、統合制御装置１１０は、優先稼働させる燃料電池システム１２１に対して、当該燃料電池システム１２１を設置している需要家１２０の電力需要量よりも大きい電力出力で稼働させるための制御信号（第１の信号）を生成して送信する。
【００２０】
また、統合制御装置１１０は、優先稼働させない燃料電池システム１２１に対して、（１）当該燃料電池システム１２１を設置している需要家１２０の電力需要量よりも小さい電力出力で稼働させ、または、（２）停止させる。具体的には、統合制御装置１１０は、優先稼働させない燃料電池システム１２１に対して、（１）当該燃料電池システム１２１を設置している需要家１２０の電力需要量よりも小さい電力出力で稼働させる、または、（２）停止させる、ための制御信号（第２の信号）を生成して送信する。
【００２１】
さらに、統合制御装置１１０は、優先稼働させる燃料電池システム１２１に対して、（１）当該燃料電池システム１２１の電力出力の一部を、優先稼働させない燃料電池システム１２１を設置している需要家１２０の電力負荷１２７に対して供給させ、さらに、（２）当該燃料電池システム１２１の熱出力の一部を、優先稼働させない燃料電池システム１２１を設置している需要家１２０の熱負荷１２８に対して供給させる。具体的には、統合制御装置１１０は、優先稼働させる燃料電池システム１２１に対して、（１）当該燃料電池システム１２１の電力出力の一部を、優先稼働させない燃料電池システム１２１を設置している需要家１２０の電力負荷１２７に対して供給させ、さらに、（２）当該燃料電池システム１２１の熱出力の一部を、優先稼働させない燃料電池システム１２１を設置している需要家１２０の熱負荷１２８に対して供給させる、ための制御信号（第３の信号）を生成して送信する。
【００２２】
各燃料電池システム１２１は、統合制御装置１１０から受信した制御信号（第１の信号、第２の信号、第３の信号）に従って動作する。
例として、需要家Ａの電力需要量、需要家Ｂの電力、需要家Ａの熱需要量、需要家Ｂの熱需要量がそれぞれ、１００、２０、２０、１０であるときのエネルギー供給システム１００の動作について説明する。需要家Ａの電力需要量が需要家Ｂの電力需要量よりも大きく、かつ、需要家Ａの熱需要量が需要家Ｂの熱需要量よりも大きいため、需要家Ａの燃料電池システム１２１を優先稼働させる。統合制御装置１１０は、例えば、図３に示すように、需要家Ａの燃料電池システム１２１を需要家Ａの電力需要量である１００よりも大きい１２０の電力出力で稼働させ、そのうちの１００を需要家Ａの電力負荷１２７に供給させ、余剰電力の２０を需要家Ｂの電力負荷１２７に供給させる。また、統合制御装置１１０は、需要家Ａの燃料電池システム１２１に対して、貯湯タンクに蓄えられた温水のうち３０を出力させ、そのうちの２０を需要家Ａの熱負荷１２８に供給させ、余剰分の１０を需要家Ｂの熱負荷１２８に供給させる。そして、統合制御装置１１０は、需要家Ｂの燃料電池システム１２１を停止させる。
【００２３】
このときの統合制御装置１１０、需要家Ａの燃料電池システム１２１、需要家Ｂの燃料電池システム１２１の動作をさらに、図４のシーケンス図で説明する。
まず、統合制御装置１１０は、需要家Ａの燃料電池システム１２１から需要家Ａの電力需要量及び熱需要量を取得し（ステップＳ４０１）、需要家Ｂの燃料電池システム１２１から需要家Ｂの電力需要量及び熱需要量を取得する（ステップＳ４０２）。
【００２４】
そして、統合制御装置１１０は、各需要家の電力需要量及び熱需要量に基づいて優先稼働させる燃料電池システム１２１を決定する（ステップＳ４０３）。この場合、需要家Ａの電力需要量が需要家Ｂの電力需要量よりも大きく、かつ、需要家Ａの熱需要量が需要家Ｂの熱需要量よりも大きいため、需要家Ａの燃料電池システム１２１を優先稼働させる。
優先稼働させる燃料電池システム１２１を決定した後、統合制御装置１１０は、第１の信号、第２の信号、第３の信号を生成し、優先稼働させる需要家Ａの燃料電池システム１２１に第１の信号及び第３の信号を送信し（ステップＳ４０４）、優先稼働させない需要家Ｂの燃料電池システム１２１に第２の信号を送信する（ステップＳ４０５）。第１の信号は、需要家Ａの電力需要量に需要家Ｂの電力需要量を加えた電力出力で需要家Ａの燃料電池システム１２１を稼働させる制御信号である。第２の信号は、需要家Ｂの燃料電池システム１２１を停止させる制御信号である。第３の信号は、需要家Ａの燃料電池システム１２１の電力出力の一部を需要家Ｂの電力負荷１２７に供給させ、需要家Ａの燃料電池システム１２１の熱出力の一部を需要家Ｂの熱負荷１２８に供給させる制御信号である。
【００２５】
需要家Ａの燃料電池システム１２１は、統合制御装置１１０から受信した第１の信号に従って需要家Ａの電力需要量よりも大きい電力出力で稼働し（ステップＳ４０６）、統合制御装置１１０から受信した第３の信号に従って電力出力の一部を需要家Ｂの電力負荷１２７に供給し、生成熱の一部を需要家Ｂの熱負荷１２８に供給する（ステップＳ４０７）。
【００２６】
需要家Ｂの燃料電池システム１２１は、統合制御装置１１０から受信した第２の信号に従って停止する（ステップＳ４０８）。
以上が、統合制御装置１１０、需要家Ａの燃料電池システム１２１、需要家Ｂの燃料電池システム１２１の動作となる。
さらに、例として、需要家Ａの電力需要量、需要家Ｂの電力、需要家Ａの熱需要量、需要家Ｂの熱需要量がそれぞれ、１００、２０、１０、８０であるときのエネルギー供給システムの動作について説明する。需要家Ａの電力需要量が需要家Ｂの電力需要量よりも大きく、かつ、需要家Ａの熱需要量が需要家Ｂの熱需要量よりも小さいため、需要家Ｂの燃料電池システム１２１を優先稼働させる。統合制御装置１１０は、例えば、図５に示すように、需要家Ｂの燃料電池システム１２１を需要家Ｂの電力需要量である２０よりも大きい１２０の電力出力で稼働させ、そのうちの２０を需要家Ｂの電力負荷１２７に供給させ、余剰電力の１００を需要家Ａの電力負荷１２７に供給させる。また、統合制御装置１１０は、需要家Ｂの燃料電池システム１２１に対して、貯湯タンクで蓄えられた温水のうち９０を出力させ、そのうちの８０を需要家Ｂの熱負荷１２８に供給させ、余剰分の１０を需要家Ａの熱負荷１２８に供給させる。そして、統合制御装置１１０は、需要家Ａの燃料電池システム１２１を停止させる。
【００２７】
このときの統合制御装置１１０、需要家Ａの燃料電池システム１２１、需要家Ｂの燃料電池システム１２１の動作をさらに、図６のシーケンス図で説明する。
まず、統合制御装置１１０は、需要家Ａの燃料電池システム１２１から需要家Ａの電力需要量及び熱需要量を取得し（ステップＳ６０１）、需要家Ｂの燃料電池システム１２１から需要家Ｂの電力需要量及び熱需要量を取得する（ステップＳ６０２）。
【００２８】
そして、統合制御装置１１０は、各需要家の電力需要量及び熱需要量に基づいて優先稼働させる燃料電池システム１２１を決定する（ステップＳ６０３）。この場合、需要家Ａの電力需要量が需要家Ｂの電力需要量よりも大きく、かつ、需要家Ａの熱需要量が需要家Ｂの熱需要量よりも小さいため、需要家Ｂの燃料電池システム１２１を優先稼働させる。
優先稼働させる燃料電池システム１２１を決定した後、統合制御装置１１０は、第１の信号、第２の信号、第３の信号を生成し、優先稼働させる需要家Ｂの燃料電池システム１２１に第１の信号及び第３の信号を送信し（ステップＳ６０４）、優先稼働させない需要家Ａの燃料電池システム１２１に第２の信号を送信する（ステップＳ６０５）。第１の信号は、需要家Ｂの電力需要量に需要家Ａの電力需要量を加えた電力出力で需要家Ｂの燃料電池システム１２１を稼働させる制御信号である。第２の信号は、需要家Ａの燃料電池システム１２１を停止させる制御信号である。第３の信号は、需要家Ｂの燃料電池システム１２１の電力出力の一部を需要家Ａの電力負荷に供給させ、需要家Ｂの燃料電池システム１２１の熱出力の一部を需要家Ａの熱負荷に供給させる制御信号である。
【００２９】
需要家Ｂの燃料電池システム１２１は、統合制御装置１１０から受信した第１の信号に従って需要家Ｂの電力需要量よりも大きい電力出力で稼働し（ステップＳ６０６）、統合制御装置１１０から受信した第３の信号に従って電力出力の一部を需要家Ａの電力負荷に供給し、生成熱の一部を需要家Ａの熱負荷に供給する（ステップＳ６０７）。
需要家Ａの燃料電池システム１２１は、統合制御装置１１０から受信した第２の信号に従って停止する（ステップＳ６０８）。
【００３０】
以上が、統合制御装置１１０、需要家Ａの燃料電池システム１２１、需要家Ｂの燃料電池システム１２１の動作となる。
＜効果＞
本実施の形態の統合制御装置によれば、需要が大きい需要家の燃料電池システムを優先稼働させるため、すべての燃料電池システムを低出力で稼働させるのではなく、少数の燃料電池システムを高出力で稼働させる。その結果、需要の大きい燃料電池システムの発電効率が向上する。また、需要量が小さい需要家の燃料電池システムの起動・停止を抑制することができ、需要量が小さい需要家の燃料電池システムの寿命向上に寄与する。さらに、需要家間で電力需要量の大小と熱需要量の大小が逆転している場合は熱需要量が大きい需要家の燃料電池システムを優先して稼働させるため、熱輸送手段を介して他の需要家に輸送される熱（温水）の量を低減でき、その結果、熱輸送による損失を低減できる。
（変形例）
本開示に係るエネルギー供給システムについて、実施の形態に基づき説明したが、以下のように変形することも可能であり、上述の実施の形態に限られない。
【００３１】
＜１＞実施の形態では、統合制御装置１１０が優先稼働させる燃料電池システム１２１を決定するタイミングについては特に規定していないが、例えば、毎日０：００と６：００と１２：００と１８：００に決定するというように、統合制御装置１１０が優先稼働させる燃料電池システム１２１を決定するタイミングのスケジュールを設定して、設定されたスケジュールに従って決定してもよい。
【００３２】
また、燃料電池システム１２１から受信する電力需要量や熱需要量に応じて、需要家間における電力需要量や熱需要量の大小関係が逆転したタイミングで決定してもよい。
＜２＞実施の形態において、統合制御装置１１０が燃料電池システム１２１から電力需要量及び熱需要量を受信するタイミングについては特に規定していないが、例えば、３０分おきに受信するというように、統合制御装置１１０が電力需要量及び熱需要量を受信するタイミングのスケジュールを設定して、設定されたスケジュールに従って受信してもよい。
【００３３】
＜３＞実施の形態において、統合制御装置１１０は、燃料電池システム１２１から受信する電力需要量に従って、各需要家の電力需要量の大小関係の判定を行っている。ここで、統合制御装置１１０は、各需要家の電力需要量について直近に受信したものを比較して判定を行ってもよいし、過去の期間（例えば、前日の６：００〜１２：００）に受信したものを累積して過去の期間の電力需要量を算出し、算出した過去の期間の電力需要量を比較して判定を行ってもよい。また、過去に受信したものに応じて未来の期間の電力需要量の推定値を算出し、算出した未来の期間の電力需要量の推定値を比較して判定を行ってもよい。
【００３４】
＜４＞実施の形態では、需要家Ａの電力需要量と需要家Ｂの電力需要量の大小と、需要家Ａの熱需要量と需要家Ｂの熱需要量の大小とが逆転している場合、熱需要量が大きい需要家の燃料電池システム１２１を優先稼働させているが、優先稼働させる燃料電池システム１２１の決定方法はこれに限らない。ここでは、需要家Ａの電力需要量と需要家Ｂの電力需要量の大小と、需要家Ａの熱需要量と需要家Ｂの熱需要量の大小とが逆転している場合の、優先稼働させる燃料電池システム１２１の決定方法の変形例を説明する。
【００３５】
図７は、優先稼働させる燃料電池システム１２１の決定方法の変形例を説明するためのフローチャートである。
まず、受信した複数の需要家の電力需要量を累積して複数の需要家の総電力需要量を算出し、さらに、受信した複数の需要家の熱需要量を累積して複数の需要家の総熱需要量を算出する（ステップＳ７０１）。
【００３６】
需要家Ａの電力需要量が需要家Ｂの電力需要量よりも大きく、かつ、需要家Ａの熱需要量が需要家Ｂの熱需要量よりも小さい（ステップＳ７０２：Ｙｅｓ）場合、第１の割合として総電力需要量に対する需要家Ａの電力需要量の割合を算出し、第２の割合として総熱需要量に対する需要家Ｂの熱需要量の割合を算出する（ステップＳ７０３）。
需要家Ａの電力需要量が需要家Ｂの電力需要量よりも小さく、かつ、需要家Ａの熱需要量が需要家Ｂの熱需要量よりも大きい（ステップＳ７０２：Ｎｏ）場合、第１の割合として総熱需要量に対する需要家Ａの熱需要量の割合を算出し、第２の割合として総電力需要量に対する需要家Ｂの電力需要量の割合を算出する（ステップＳ７０４）。
【００３７】
第１の割合が第２の割合よりも大きい（ステップＳ７０５：Ｙｅｓ）場合、需要家Ａの燃料電池システム１２１を優先稼働させる（ステップＳ７０６）。
第１の割合が第２の割合よりも小さい（ステップＳ７０５：Ｎｏ）場合、需要家Ｂの燃料電池システム１２１を優先稼働させる（ステップＳ７０７）。
このようにして、統合制御装置１１０は、優先稼働させる燃料電池システム１２１を決定する。
【００３８】
例として、需要家Ａの電力需要量、需要家Ｂの電力需要量、需要家Ａの熱需要量、需要家Ｂの熱需要量がそれぞれ、２０、１００、８０、２０であるときのエネルギー供給システムの動作について説明する。このとき、総電力需要量が１２０であり、総熱需要量が１００である。また、需要家Ａの電力需要量が需要家Ｂの電力需要量よりも小さく、かつ、需要家Ａの熱需要量が需要家Ｂの熱需要量よりも大きいため、第１の割合は、総熱需要量に対する需要家Ａの熱需要量の割合となり、８０／１００＝０．８である。同様に、第２の割合は、総電力需要量に対する需要家Ｂの電力需要量となり、１００／１２０＝０．８３３……である。従って、第１の割合が第２の割合よりも小さいため、需要家Ｂの燃料電池システム１２１を優先稼働させる。統合制御装置１１０は、例えば、図８に示すように、需要家Ｂの燃料電池システム１２１を需要家Ｂの電力需要量である１００よりも大きい１２０の電力出力で稼働させ、そのうちの１００を需要家Ｂの電力負荷に供給させ、余剰電力の２０を需要家Ａの電力負荷に供給させる。また、統合制御装置１１０は、需要家Ｂの燃料電池システム１２１に対して、貯湯タンクに蓄積された温水のうち１００を出力させ、そのうちの２０を需要家Ｂの熱負荷に供給させ、余剰分の８０を需要家Ａの熱負荷に供給させる。そして、統合制御装置１１０は、需要家Ａの燃料電池システム１２１を停止させる。
【００３９】
このときの統合制御装置１１０、需要家Ａの燃料電池システム１２１、需要家Ｂの燃料電池システム１２１の動作をさらに、図９のシーケンス図で説明する。
まず、統合制御装置１１０は、需要家Ａの燃料電池システム１２１から需要家Ａの電力需要量及び熱需要量を取得し（ステップＳ９０１）、需要家Ｂの燃料電池システム１２１から需要家Ｂの電力需要量及び熱需要量を取得する（ステップＳ９０２）。
【００４０】
そして、統合制御装置１１０は、需要家Ａと需要家Ｂの総電力需要量及び総熱需要量を算出し（ステップＳ９０３）、さらに、第１の割合及び第２の割合を算出する（ステップＳ９０４）。
第１の割合及び第２の割合を算出した後、統合制御装置１１０は、第１の割合及び第２の割合に基づいて優先稼働させる燃料電池システム１２１を決定する（ステップＳ９０５）。この場合、第１の割合が第２の割合よりも小さいため、需要家Ｂの燃料電池システム１２１を優先稼働させる。
【００４１】
ステップＳ９０６〜９１０の処理は、図６で示したステップＳ６０４〜６０８の処理と同じなので、説明を省略する。
＜５＞上記変形例＜４＞とは異なる、需要家Ａの電力需要量と需要家Ｂの電力需要量の大小と、需要家Ａの熱需要量と需要家Ｂの熱需要量の大小とが逆転している場合の、優先稼働させる燃料電池システム１２１の決定方法の変形例を説明する。
【００４２】
図１０は、優先稼働させる燃料電池システム１２１の決定方法の変形例を説明するためのフローチャートである。
まず、受信した複数の需要家の電力需要量を累積して複数の需要家の総電力需要量を算出し、さらに、受信した複数の需要家の熱需要量を累積して複数の需要家の総熱需要量を算出する（ステップＳ１００１）。
【００４３】
需要家Ａの電力需要量が需要家Ｂの電力需要量よりも小さく、かつ、需要家Ａの熱需要量が需要家Ｂの熱需要量よりも大きい（ステップＳ１００２：Ｙｅｓ）場合、第１の割合として総電力需要量に対する需要家Ａの電力需要量の割合を算出し、第２の割合として総熱需要量に対する需要家Ｂの熱需要量の割合を算出する（ステップＳ１００３）。
需要家Ａの電力需要量が需要家Ｂの電力需要量よりも大きく、かつ、需要家Ａの熱需要量が需要家Ｂの熱需要量よりも小さい（ステップＳ１００２：Ｎｏ）場合、第１の割合として総熱需要量に対する需要家Ａの熱需要量の割合を算出し、第２の割合として総電力需要量に対する需要家Ｂの電力需要量の割合を算出する（ステップＳ１００４）。
【００４４】
第１の割合が第２の割合よりも大きい（ステップＳ１００５：Ｙｅｓ）場合、需要家Ｂの燃料電池システム１２１を優先稼働させる（ステップＳ１００６）。
第１の割合が第２の割合よりも小さい（ステップＳ１００５：Ｎｏ）場合、需要家Ａの燃料電池システム１２１を優先稼働させる（ステップＳ１００７）。
このようにして、統合制御装置１１０は、優先稼働させる燃料電池システム１２１を決定する。
【００４５】
例として、需要家Ａの電力需要量、需要家Ｂの電力需要量、需要家Ａの熱需要量、需要家Ｂの熱需要量がそれぞれ、２０、１００、８０、２０であるときのエネルギー供給システムの動作について説明する。このとき、総電力需要量が１２０であり、総熱需要量が１００である。また、需要家Ａの電力需要量が需要家Ｂの電力需要量よりも小さく、かつ、需要家Ａの熱需要量が需要家Ｂの熱需要量よりも大きいため、第１の割合は、総電力需要量に対する需要家Ａの電力需要量の割合となり、２０／１２０＝０．１６６……である。同様に、第２の割合は、総熱需要量に対する需要家Ｂの熱需要量となり、２０／１００＝０．２である。従って、第１の割合が第２の割合よりも小さいため、需要家Ａの燃料電池システム１２１を優先稼働させる。統合制御装置１１０は、例えば、図１１に示すように、需要家Ａの燃料電池システム１２１を需要家Ａの電力需要量である２０よりも大きい１２０の電力出力で稼働させ、そのうちの２０を需要家Ｂの電力負荷に供給させ、余剰電力の１００を需要家Ｂの電力負荷に供給させる。また、統合制御装置１１０は、需要家Ａの燃料電池システム１２１に対して、貯湯タンクに蓄えられた温水のうち１００を出力させ、そのうちの８０を需要家Ａの熱負荷に供給させ、余剰分の２０を需要家Ｂの熱負荷に供給させる。そして、統合制御装置１１０は、需要家Ｂの燃料電池システム１２１を停止させる。
【００４６】
このときの統合制御装置１１０、需要家Ａの燃料電池システム１２１、需要家Ｂの燃料電池システム１２１の動作をさらに、図１２のシーケンス図で説明する。
まず、統合制御装置１１０は、需要家Ａの燃料電池システム１２１から需要家Ａの電力需要量及び熱需要量を取得し（ステップＳ１２０１）、需要家Ｂの燃料電池システム１２１から需要家Ｂの電力需要量及び熱需要量を取得する（ステップＳ１２０２）。
【００４７】
そして、統合制御装置１１０は、需要家Ａと需要家Ｂの総電力需要量及び総熱需要量を算出し（ステップＳ１２０３）、さらに、第１の割合及び第２の割合を算出する（ステップＳ１２０４）。
第１の割合及び第２の割合を算出した後、統合制御装置１１０は、第１の割合及び第２の割合に基づいて優先稼働させる燃料電池システム１２１を決定する（ステップＳ１２０５）。この場合、第１の割合が第２の割合よりも小さいため、需要家Ａの燃料電池システム１２１を優先稼働させる。
【００４８】
ステップＳ１２０６〜１２１０の処理は、図４で示したステップＳ４０４〜４０８の処理と同じなので、説明を省略する。
＜６＞実施の形態では、需要家Ａの電力需要量と需要家Ｂの電力需要量の合計が、優先稼働させる燃料電池システム１２１の定格出力よりも小さい場合についてのみ説明している。需要家Ａの電力需要量と需要家Ｂの電力需要量の合計が、優先稼働させる燃料電池システム１２１の定格出力よりも大きい場合、優先稼働させる燃料電池システム１２１の定格出力を超える分は、優先稼働させない燃料電池を稼働させればよい。
【００４９】
なお、燃料電池システム１２１は、稼働開始を指示してから実際に電力出力されるまでの間に時間がかかる場合がある。そこで、優先稼働させる燃料電池システム１２１を決定した時に需要家Ａの電力需要量と需要家Ｂの電力需要量の合計が優先稼働させる燃料電池システムの定格出力よりも小さく、その後に電力需要量の合計の増大し、優先稼働させる燃料電池システム１２１の定格出力を超える場合は、電力需要量の合計が定格出力を超えるタイミングを予測し、電力需要量の合計が定格出力を超えるよりも前に、優先稼働させる燃料電池システム１２１とは別の燃料電池システム１２１の稼働を指示するとしてもよい。
【００５０】
＜７＞実施の形態や変形例では、２つの燃料電池システム１２１に対してどちらを優先稼働させるかを決定しているが、これに基づいて３つ以上の燃料電池システム１２１の優先順位を決定することもできる。例えば、３つ以上の燃料電池システム１２１から２つの燃料電池システム１２１を選ぶすべての組み合わせについて、実施の形態や変形例で示した方法によりどちらを優先稼働させるかを決定することで、３つ以上の燃料電池システム１２１の優先順位が求まる。従って、本開示は、３つ以上の燃料電池システム１２１が存在する場合でも適用可能である。
【００５１】
＜８＞実施の形態では、ある需要家の燃料電池システム１２１で生成した電力や熱（温水）を他の需要家に融通可能なエネルギー供給システムについて説明したが、供給先の需要家から供給元の需要家にインセンティブを付与するための仕組みを備えてもよい。具体的には、統合制御装置１１０は、複数の需要家間のインセンティブ付与処理を行うインセンティブ付与用コンピュータを含むとしてもよい。または、エネルギー供給システム１００は、統合制御装置１１０とは別に、複数の需要家間のインセンティブ付与処理を行うインセンティブ付与用コンピュータを含むとしてもよい。
【００５２】
インセンティブ付与用コンピュータは、例えば、課金用のサーバ装置であり、供給先の需要家に関連付けられているアカウントから対価を引き出し、供給元の需要家に関連付けられているアカウントに対して引き出した対価を付与するとしてもよい。
インセンティブ付与用コンピュータは、例えば、プロセッサ及び半導体メモリなどから構成させるコンピュータシステムとして実現される。半導体メモリには、制御用のコンピュータプログラムが記憶されており、プロセッサが半導体メモリに記憶されたコンピュータプログラムを実行することによりその機能を達成する。
【００５３】
＜９＞実施の形態において燃料電池システム１２１から出力される熱は、水素と酸素の化学反応により発生する熱を温水の形で貯湯タンクに蓄えたものとしたが、水素と酸素の化学反応により発生した電力の一部を用いてヒーター等を動作させて水を温めたものを出力してもよい。
（補足）
＜ａ＞本開示の一態様の統合制御方法は、需要家群の元に設置される複数の燃料電池システムを制御する統合制御装置が実行する統合制御方法であって、前記複数の燃料電池システムから前記需要家群の電力需要量及び熱需要量を受信し、前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家の熱需要量よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させることを特徴とする。
【００５４】
＜ｂ＞上記態様＜ａ＞において、前記第１の燃料電池システムを前記第１の需要家の電力需要量よりも大きい電力出力で稼働させる第１の信号を生成し、前記第２の燃料電池システムを、前記第２の需要家の電力需要量よりも小さい電力出力で稼働させる、または、停止させる第２の信号を生成し、前記第１の燃料電池システムに対し、電力出力の一部を前記第２の需要家の元に設置される電力負荷に供給させ、生成熱の一部を前記第２の需要家の元に設置される熱負荷に供給させる第３の信号を生成し、前記第１の燃料電池システムを制御するコントローラに対し、前記第１の信号及び前記第３の信号を送信し、前記第２の燃料電池システムを制御するコントローラに対し、前記第２の信号を送信するとしてもよい。
【００５５】
＜ｃ＞上記態様＜ａ＞において、前記第１の需要家の前記所定期間の電力需要量は前記第２の需要家よりも大きく、かつ、前記第１の需要家の前記所定期間の熱需要量は前記第２の需要家よりも大きいとしてもよい。
＜ｄ＞上記態様＜ａ＞において、前記第１の需要家の前記所定期間の電力需要量は前記第２の需要家よりも小さく、かつ、前記第１の需要家の前記所定期間の熱需要量は前記第２の需要家よりも大きいとしてもよい。
【００５６】
＜ｅ＞本開示の一態様の統合制御方法は、需要家群の元に設置される複数の燃料電池システムを制御する統合制御装置が実行する統合制御方法であって、前記複数の燃料電池システムから前記需要家群の電力需要量及び熱需要量を受信し、受信した前記電力需要量から、前記需要家群の所定期間における総電力需要量を算出し、受信した前記熱需要量から、前記需要家群の前記所定期間における総熱需要量を算出し、前記需要家群のうちの第１の需要家の前記所定期間の電力需要量が前記総電力需要量に占める第１の割合を算出し、前記需要家群のうちの、所定期間の電力需要量が前記第１の需要家よりも大きく、前記所定期間の熱需要量が前記第１の需要家よりも小さい第２の需要家の前記所定期間の熱需要量が前記総熱需要量に占める第２の割合を算出し、前記第１の割合が前記第２の割合よりも小さい場合、前記第１の需要家の元に設置される第１の燃料電池システムを、前記第１の需要家の電力需要量よりも大きい電力出力で稼働させ、前記第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させるとしてもよい。
【００５７】
＜ｆ＞本開示の一態様の統合制御方法は、需要家群の元に設置される複数の燃料電池システムを制御する統合制御装置が実行する統合制御方法であって、前記複数の燃料電池システムから前記需要家群の電力需要量及び熱需要量を受信し、受信した前記電力需要量から、前記需要家群の所定期間における総電力需要量を算出し、受信した前記熱需要量から、前記需要家群の前記所定期間における総熱需要量を算出し、前記需要家群のうちの第１の需要家の前記所定期間の電力需要量が前記総電力需要量に占める第１の割合を算出し、前記需要家群のうちの、所定期間の電力需要量が前記第１の需要家よりも小さく、前記所定期間の熱需要量が前記第１の需要家よりも大きい第２の需要家の前記所定期間の熱需要量が前記総熱需要量に占める第２の割合を算出し、前記第１の割合が前記第２の割合よりも大きい場合、前記第１の需要家の元に設置される第１の燃料電池システムを、前記第１の需要家の電力需要量よりも大きい電力出力で稼働させ、前記第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させるとしてもよい。
【００５８】
＜ｇ＞上記態様＜ａ＞〜＜ｆ＞において、前記所定期間は過去の期間であり、一の需要家の前記所定期間の電力需要量は、取得した当該需要家の電力需要量を累積して算出し、一の需要家の前記所定期間の熱需要量は、取得した当該需要家の熱需要量を累積して算出するとしてもよい。
＜ｈ＞上記態様＜ａ＞〜＜ｆ＞において、前記所定期間は未来の期間であり、一の需要家の前記所定期間の電力需要量は、取得した当該需要家の電力需要量に応じて算出し、一の需要家の前記所定期間の熱需要量は、取得した当該需要家の熱需要量に応じて算出するとしてもよい。
【００５９】
＜ｉ＞上記態様＜ａ＞〜＜ｆ＞において、前記電力出力の一部は、前記第１の燃料電池システムの電力出力から前記第１の需要家の電力需要量を引いた余剰電力であり、
前記生成熱の一部は、前記第１の燃料電池システムの生成熱から前記第１の需要家の熱需要量を引いた余剰熱であるとしてもよい。
＜ｊ＞上記態様＜ａ＞〜＜ｆ＞において、前記第２の需要家から前記第１の需要家に対してインセンティブを付与させるとしてもよい。
【００６０】
＜ｋ＞上記態様＜ａ＞〜＜ｆ＞において、前記需要家群の電力需要量の合計が前記第１の燃料電池システムの定格出力を超える前に、前記第１の燃料電池システム以外の燃料電池システムを稼働させるとしてもよい。
＜ｌ＞上記態様＜ａ＞〜＜ｆ＞において、前記第１の燃料電池システムの電力出力により熱を生成させるとしてもよい。
【００６１】
＜ｍ＞本開示の一態様の統合制御装置は、需要家群の元に設置される複数の燃料電池システムを制御する統合制御装置であって、前記複数の燃料電池システムから前記需要家群の電力需要量及び熱需要量を受信するインターフェースと、前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させるコントローラと、を備えることを特徴とする。
【００６２】
＜ｎ＞本開示の一態様の統合制御プログラムは、需要家群の元に設置される複数の燃料電池システムを制御する統合制御装置が実行するコンピュータプログラムであって、前記統合制御装置に、前記複数の燃料電池システムから前記需要家群の電力需要量及び熱需要量を受信させ、前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に電力輸送手段を介して供給させ、生成熱の一部を前記第２の需要家の元に設置される熱負荷に熱輸送手段を介して供給させる、命令を含むことを特徴とする。
【００６３】
＜ｏ＞本開示の一態様のエネルギー供給システムは、需要家群の元に設置される複数の燃料電池システムと、前記複数の燃料電池システムを制御する統合制御装置とから構成されるエネルギー供給システムであって、前記複数の燃料電池システムのそれぞれは、前記需要家群の元に設置される電力負荷と電力輸送手段を介して接続され、前記需要家群の元に設置される熱負荷と熱輸送手段を介して接続され、前記統合制御装置は、前記複数の燃料電池システムから前記需要家群の電力需要量及び熱需要量を受信するインターフェースと、前記需要家群のうちの第１の需要家の元に設置される第１の燃料電池システムを、前記第１の需要家の電力需要量よりも大きい電力出力で稼働させ、前記需要家群のうちの、所定期間の熱需要量が前記第１の需要家よりも小さい第２の需要家の元に設置される第２の燃料電池システムを、前記第２の需要家の電力需要量よりも小さい電力出力で稼働させ、または、停止させ、前記第１の燃料電池システムに対し、電力出力の一部を前記第２の需要家の元に設置される電力負荷に前記電力輸送手段を介して供給させ、生成熱の一部を前記第２の需要家の元に設置される熱負荷に前記熱輸送手段を介して供給させるコントローラと、を備えることを特徴とする。
【産業上の利用可能性】
【００６４】
本開示の統合制御方法は、複数の燃料電池システムの制御に適用することで、燃料電池システムの発電効率の向上や寿命向上に寄与することができ、有用である。
【符号の説明】
【００６５】
１００  エネルギー供給システム
１１０  統合制御装置
１１１  コントローラ
１１２  インターフェース
１２０  燃料電池システム
１２０  需要家
１２１  燃料電池システム
１２２  燃料電池
１２３  コントローラ
１２４  インターフェース
１２５  第１のセンサ
１２６  第２のセンサ
１２７  電力負荷
１２８  熱負荷
１３０  ネットワーク
１４０  電力輸送手段１４０
１５０  熱輸送手段１５０
【図１】
2017127086.tif 000003
【図２】
2017127086.tif 000004
【図３】
2017127086.tif 000005
【図４】
2017127086.tif 000006
【図５】
2017127086.tif 000007
【図６】
2017127086.tif 000008
【図７】
2017127086.tif 000009
【図８】
2017127086.tif 000010
【図９】
2017127086.tif 000011
【図１０】
2017127086.tif 000012
【図１１】
2017127086.tif 000013
【図１２】
2017127086.tif 000014